(57)【要約】【課題】  お試し印刷（コピー）の設定後や一部印刷後に、割込み処理を可能にする画像形成装置を提供する。【解決手段】  原稿の画像を読み取る読取部と、原稿の画像の画像形成の仕様について操作を行なう操作部と、原稿の画像に基づいて記録媒体上に画像形成する画像形成部と、操作部を介した指示に基づいて、原稿の画像の一部だけの記録媒体上への画像形成を先行して像形成部により画像形成する処理が設定されると、割込処理の指示があれば割込処理を行い、その後、原稿の画像の一部だけの記録媒体上への画像形成を先行して像形成部により画像形成し、その後、割込処理の指示があれば割込処理を行い、原稿上の画像の残りの記録媒体上への画像形成を画像形成部により行うべく各部を制御する制御部をもつ画像形成装置。【選択図】図１
2007272128.tif 000002
【特許請求の範囲】
【請求項１】
原稿の画像を読み取る読取部と、
前記原稿の画像の画像形成の仕様について操作を行なう操作部と、
前記原稿の画像に基づいて記録媒体上に画像形成する画像形成部と、
前記操作部を介した指示に基づいて、前記原稿の画像の一部だけの記録媒体上への画像形成を先行して前記像形成部により画像形成する処理が設定されると、割込処理の指示があれば前記割込処理を行い、その後、前記原稿の画像の一部だけの記録媒体上への画像形成を先行して前記像形成部により画像形成し、その後、割込処理の指示があれば前記割込処理を行い、前記原稿上の画像の残りの記録媒体上への画像形成を前記画像形成部により行うべく各部を制御する制御部と、を具備することを特徴とする画像形成装置。
【請求項２】
前記制御部は、前記画像形成部の画像形成を行う前に、前記原稿上の画像の一部だけを表示部に表示し、前記操作部を介した指示に基づいて、前記画像形成の仕様を変更した上で、前記原稿上の画像の画像形成を行なうべく制御することを特徴とする請求項１記載の画像形成装置。
【請求項３】
前記制御部は、前記画像形成部による前記原稿上の画像の一部だけの画像形成を行なった後に、前記操作部を介した指示に基づいて、前記画像形成の仕様を変更した上で、前記原稿上の画像の画像形成を行なうべく制御することを特徴とする請求項１記載の画像形成装置。
【請求項４】
前記画像形成の仕様は、部数の設定、ステープル有無、ポールパンチ有無、綴じ代の設定、日付時刻の設定の内の一つを含むことを特徴とする請求項３記載の画像形成装置。
【請求項５】
前記画像形成の仕様は、ページ追加設定、左右綴じ上下綴じの設定、タブ幅・タブ幅シフト幅の変更、倍率設定の内の一つを含むことを特徴とする請求項３記載の画像形成装置。
【請求項６】
原稿の画像を読み取り、
指示に基づいて、前記原稿の画像の一部だけの記録媒体上への画像形成を先行して画像形成する処理を設定し、
その後、割込処理の指示があれば前記割込処理を行い、
前記指示に基づいて、前記原稿の画像の一部だけの記録媒体上への画像形成を先行して画像形成し、
その後、割込処理の指示があれば前記割込処理を行い、
前記指示に基づいて、前記原稿上の画像の残りの記録媒体上への画像形成を行うことを特徴とする画像形成方法。
【請求項７】
前記画像形成を行う前に、前記原稿上の画像の一部だけをスクリーン表示し、
前記指示に基づいて、前記画像形成の仕様を変更した上で、前記原稿上の画像の画像形成を行なうことを特徴とする請求項６記載の画像形成方法。
【請求項８】
前記原稿上の画像の一部だけの画像形成を行なった後に、前記指示に基づいて、前記画像形成の仕様を変更した上で、前記原稿上の画像の画像形成を行なうことを特徴とする請求項６記載の画像形成方法。
【請求項９】
前記画像形成の仕様は、部数の設定、ステープル有無、ポールパンチ有無、綴じ代の設定、日付時刻の設定の内の一つを含むことを特徴とする請求項８記載の画像形成装置。
【請求項１０】
前記画像形成の仕様は、ページ追加設定、左右綴じ上下綴じの設定、タブ幅・タブ幅シフト幅の変更、倍率設定の内の一つを含むことを特徴とする請求項８記載の画像形成装置。
【発明の詳細な説明】
【技術分野】
【０００１】
この発明は、ＭＦＰ等の画像形成装置に関し、特に、いわゆるお試しモードと割込み処理とを効率的に両立させる画像形成装置及び画像形成方法に関する。
【背景技術】
【０００２】
このような画像形成装置においては、コピー機能において印刷を実行した場合、指定した部数を出力する。その際、設定などに間違いや改善したいところがあったとしても、設定を変更するには動作中の印刷を中止して、最初から設定をし直す必要がある。これは、印刷媒体の無駄遣いになり、また、設定を始めからしなおさなければ行けない労力がある。そのため、１部印刷し、その出力結果を見て同じ設定で残りの部を印刷する、または設定を変更し印刷するという風に、一部出力されるたびに印刷結果をみて、設定が適切かどうか判断し続きの出力をどうするか決める、お試しコピーという機能が設けられた。
【０００３】
特許文献１には、試し印刷機能をもった画像形成装置が示されており、全ての印刷を行なわずに一部の印刷を行なった上で、適宜、設定を変更する、お試し印刷機能が示されている。
【特許文献１】特開２００１−３４１３６１公報
【発明の開示】
【発明が解決しようとする課題】
【０００４】
しかし、特許文献１の従来技術においては、単にお試し印刷機能が示されているに過ぎず、このときに割込み処理を行なうと、どのような処理をするのかの記載が何も示されていないという問題がある。
【０００５】
お試し印刷（コピー）の設定後又は一部印刷後に、割込み処理を容易に可能にすることで、お試し印刷（コピー）時に割込み処理を可能とする画像形成装置を提供することを目的とする。
【課題を解決するための手段】
【０００６】
かかる課題を解決するべく、原稿の画像を読み取る読取部（１）と、前記原稿の画像の画像形成の仕様について操作を行なう操作部（４０）と、前記原稿の画像に基づいて記録媒体上に画像形成する画像形成部（２）と、前記操作部を介した指示に基づいて、前記原稿の画像の一部だけの記録媒体上への画像形成を先行して前記像形成部により画像形成する処理が設定されると、割込処理の指示があれば前記割込処理を行い、その後、前記原稿の画像の一部だけの記録媒体上への画像形成を先行して前記像形成部により画像形成し、その後、割込処理の指示があれば前記割込処理を行い、前記原稿上の画像の残りの記録媒体上への画像形成を前記画像形成部により行うべく各部を制御する制御部（３０）を具備することを特徴とする画像形成装置を提供する。
【発明の効果】
【０００７】
お試し印刷（コピー）の設定後又は一部印刷後に、割込み処理を容易に可能にすることで、お試し印刷（コピー）時の停滞気味な処理を円滑に進めることができる。
【発明を実施するための最良の形態】
【０００８】
以下、この発明の実施の形態について図面を参照して詳細に説明する。
【０００９】
＜本発明の一実施形態に係る画像形成装置＞
（本発明の一実施形態に係る画像形成装置の機械的構成）
初めに本発明の一実施形態に係る複合型画像形成装置の構成の一例を示す。図１は、本発明の一実施形態に係る画像形成装置の構成の一例を示す断面図、図２は、同様に画像形成装置の電気的構成の一例を示すブロック図、図３は、同様に画像形成装置のお試しコピー及び割り込みコピーの処理の一例を示すフローチャートである。これらの図において、デジタルカラー複写機は、読取機能としてのスキャナ部１と画像形成機能としてのプリンタ部２とから構成されている。
【００１０】
原稿の画像を読取るスキャナ部１は、その上部に原稿台カバー３を有し、閉じた状態にある原稿台カバー３に対向され、原稿Ｄがセットされる透明なガラスからなる原稿台４を有している。原稿台４の下方には、原稿台４に載置された原稿Ｄを照明する露光ランプ５、露光ランプ５からの光を原稿Ｄに集光させるためのリフレクター６、と原稿Ｄからの反射光を図中左方向に折曲げる第１ミラー７などが配設されている。なお、これらの露光ランプ５、リフレクター６、と第１ミラー７は、第１キャリッジ８に固設されている。第１キャリッジ８は、図示しない歯付きベルト等を介して図示しないパルスモータに接続され、パルスモータの駆動力が伝達されて原稿台４に沿って平行に移動されるようになっている。
【００１１】
又、第２キャリッジ９を介して折返された光の光軸を含む面内には、第２キャリッジ９からの反射光を所定の倍率で結像させる結像レンズ１３が配置され、結像レンズ１３を通過した光の光軸と略直交する面内には、結像レンズ１３により集束性が与えられた反射光を電気信号すなわち画像データに変換するＣＣＤイメージセンサ（光電変換素子）１５が配置されている。
【００１２】
プリンタ部２は、周知の減色混合法に基づいて、各色成分毎に色分解された画像、即ち、ブラック（黒、以下、ｋと示す）、マゼンタ（赤の一種、以下、ｍと示す）、シアン（青みがかった紫、以下、ｃと示す）、イエロー（黄、以下、ｙと示す）との４色の画像をそれぞれ形成する第１乃至第４の画像形成部Ｋ６、Ｃ６、Ｍ６、Ｙ６を有している。
【００１３】
各画像形成部Ｋ６、Ｃ６、Ｍ６、Ｙ６の下方には、各画像形成部により形成された各色毎の画像を図中矢印ａ方向に搬送する中間転写ベルト２１が配設されている。中間転写ベルト２１は、矢印ａ方向に一定速度で無端走行され、各画像形成部Ｋ６、Ｃ６、Ｍ６、Ｙ６は、中間転写ベルト２１の搬送方向に沿って直列に配置されている。
【００１４】
各画像形成部Ｋ６、Ｃ６、Ｍ６、Ｙ６は、それぞれ、中間転写ベルト２１と接する位置で外周面が同一の方向に回転可能に形成された像担持体としての感光体ドラムＫ１、Ｃ１、Ｍ１、Ｙ１を含んでいる。各感光体ドラムには、各感光体ドラムを所定の周速度で回転させるための図示しないドラムモータがそれぞれ接続されている。
【００１５】
それぞれの感光体ドラムＫ１、Ｃ１、Ｍ１、Ｙ１の軸線は、中間転写ベルト２１により画像が搬送される方向と直交するよう配置され、各感光体ドラムの軸線が互いに等間隔に配置される。なお、以下の説明においては、各感光体ドラムの軸線方向を主走査方向（第２の方向）とし、感光体ドラムが回転される方向すなわち搬送ベルト２１の回転方向（図中矢印ａ方向）を副走査方向（第１の方向）とする。
【００１６】
各感光体ドラムＫ１、Ｃ１、Ｍ１、Ｙ１の周囲には、主走査方向に延出された帯電手段としての帯電装置Ｋ２、Ｃ２、Ｍ２、Ｙ２、主走査方向に同様に延出された現像手段としての現像ローラＫ８、Ｃ８、Ｍ８、Ｙ８、主走査方向に同様に延出された転写手段としての転写ローラＫ５、Ｃ５、Ｍ５、Ｙ５が、それぞれ、対応する感光体ドラムの回転方向に沿って順に配置されている。
【００１７】
なお、各１次転写装置は、対応する感光体ドラムとの間で中間転写ベルト２１を狭持する位置、すなわち中間転写ベルト２１の内側に配設されている。又、後述する露光装置による露光ポイントは、それぞれ帯電装置と現像ローラとの間の感光体ドラムの外周面上に形成される。
【００１８】
又、中間転写ベルト２１には２次転写ローラが接触しており、中間転写ベルト２１と２次転写ローラとの間に記録媒体を通すことにより、中間転写体から記録紙へ画像が転写される。
【００１９】
又、中間転写ベルト２１の一端には、中間転写ベルト２１上に形成された画像の位置を検知するための位置ずれセンサ２０１が配置されている。位置ずれセンサ２０１は、透過型又は反射型の光センサにより構成されており、図２で詳述するプリンタＣＰＵ１１０、ＲＯＭ１１１、ＲＡＭ１１２等を含む制御部２０２に接続されている。
【００２０】
各感光体ドラムの外周面上にそれぞれ色分解された静電潜像を形成する各露光器Ｋ３、Ｃ３、Ｍ３、Ｙ３は、各色毎のレーザビームを各感光体ドラムの露光位置に向けて照射するものである。
【００２１】
（本発明の一実施形態に係る画像形成装置の電気的構成）
図２には、図１におけるデジタルカラー複写機の電気的接続と制御のための信号の流れを概略的に表わすブロック図が示されている。図２によれば、デジタルカラー複写機において、主制御部３０内のメインＣＰＵ３１（お試しコピー部・割込みコピー部）とスキャナ部１のスキャナＣＰＵ１００とプリンタ部２のプリンタＣＰＵ１１０の３つのＣＰＵで構成される。メインＣＰＵ３１（お試しコピー部・割込みコピー部）は、プリンタＣＰＵ１１０と共有ＲＡＭ３５を介して双方向通信を行うものであり、メインＣＰＵ３１（お試しコピー部・割込みコピー部）は動作指示をだし、プリンタＣＰＵ１１０は状態ステータスを返すようになっている。プリンタＣＰＵ１１０とスキャナＣＰＵ１００はシリアル通信を行い、プリンタＣＰＵ１１０は動作指示をだし、スキャナＣＰＵ１００は状態ステータスを返すようになっている。
【００２２】
コントロールパネル４０はメインＣＰＵ３１（お試しコピー部・割込みコピー部）に接続され、全体を制御するパネルＣＰＵ４１、液晶表示器４２、及びプリントキー４３とから構成されている。このパネルＣＰＵ４１と後述するメインＣＰＵ３１（お試しコピー部・割込みコピー部）の処理により、ネットワークと複数の機器のツリー状の表示が行われる。
【００２３】
主制御部３０は、メインＣＰＵ３１（お試しコピー部・割込みコピー部）、ＲＯＭ３２、ＲＡＭ３３、ＮＶＭ３４、共有ＲＡＭ３５、画像処理装置３６、ページメモリ制御部３７、ページメモリ３８、プリンタコントローラ３９、とプリンタフォントＲＯＭ１２１によって構成されている。
【００２４】
メインＣＰＵ３１（お試しコピー部・割込みコピー部）は、主制御部３０の全体を制御するものである。ＲＯＭ３２は、制御プログラムが記憶されている。ＲＡＭ３３は、一時的にデータを記憶するものである。
【００２５】
ＮＶＭ（持久ランダムアクセスメモリ：nonvolatileＲＡＭ）３４は、バッテリ（図示しない）にバックアップされた不揮発性のメモリであり、電源を切った時ＮＶＭ３４上のデータを保持するようになっている。
【００２６】
共有ＲＡＭ３５は、メインＣＰＵ３１（お試しコピー部・割込みコピー部）とプリンタＣＰＵ１１０との間で、双方向通信を行うために用いるものである。
【００２７】
ページメモリ制御部３７は、ページメモリ３８に画像データを記憶したり、読出したりするものである。ページメモリ３８は、複数ページ分の画像データを記憶できる領域を有し、スキャナ部１からの画像データを圧縮したデータを１ページ分ごとに記憶可能に形成されている。
【００２８】
プリンタフォントＲＯＭ１２１には、プリントデータに対応するフォントデータが記憶されている。
【００２９】
プリンタコントローラ３９は、パーソナルコンピュータ等のネットワーク上の外部機器１２４−１〜１２４−ｎからのプリントデータをそのプリントデータに付与されている解像度を示すデータに応じた解像度でプリンタフォントＲＯＭ１２１に記憶されているフォントデータを用いて画像データに展開するものである。
【００３０】
通信部であるインタフェース１２２は、一例として、イーサネット（登録商標）等を介してインターネットに接続されるインタフェースである。又、同様に、通信部であるインタフェース１２３は、イーサネット等の通信規約に準拠して、ネットワーク上の複数の機器１２４−１〜１２４−ｎと通信を行うためのインタフェースである。又、ここでの通信規約は、必ずしもイーサネットである必要はなく、ＩＥＥＥ（Institute of Electrical and Electronics Engineers）１３９４やＵＳＢ（Universal Serial Bus）であってもかまわない。又、これら、イーサネット、ＩＥＥＥ１３９４、ＵＳＢ、又は、その他の通信規約上のネットワークを同時並行に行うための複数のインタフェースを全て有する場合も好適である。
【００３１】
スキャナ部１は、スキャナ部１の全体を制御するスキャナＣＰＵ１００、制御プログラム等が記憶されているＲＯＭ１０１、データ記憶用のＲＡＭ１０２、ＣＣＤドライバ１０３、露光ランプ５とミラー７、１１、１２等を移動するモータの回転を制御するスキャンモータドライバ１０４で構成されている。
【００３２】
プリンタ部２は、プリンタ部２の全体を制御するプリンタＣＰＵ１１０、制御プログラム等が記憶されているＲＯＭ１１１、データ記憶用のＲＡＭ１１２、露光器Ｋ３、Ｃ３、Ｍ３、Ｙ３による発光をオン／オフするレーザドライバ１１３、搬送機構による用紙Ｐの搬送を制御する紙搬送部１１５、帯電器Ｋ２、Ｃ２、Ｍ２、Ｙ２へのバイアスを制御する帯電制御部１１４と、現像ローラＫ８、Ｃ８、Ｍ８、Ｙ８へのバイアスを制御する現像制御部１１６と、転写ローラＫ５、Ｃ５、Ｍ５、Ｙ５へのバイアスを制御する転写制御部１１８と、定着器８０を制御する定着制御部１１７、とオプション部１１８によって構成されている。
【００３３】
又、画像処理装置３６、ページメモリ３８、プリンタコントローラ３９、レーザドライバ１１３は、画像データバス１２０によって接続されている。
【００３４】
上述した構成を有する複合型画像形成装置は、スキャナ部１で取り込んだ原稿画像を、プリンタ部２を用いて、与えられた様々な仕様により、記録媒体である用紙上に画像形成するだけではなく、通信部であるインタフェース部１２２，１２３を介してファックス送受信を行ったり、Ｅメール送受信を行うことができる。更に、後述するように、ネットワーク上のツリー構造を表示し、ネットワーク上の機器から画像情報を取得して印刷したり、スキャナで取り込んだ画像情報を、特定したネットワーク上の機器へと転送し格納することができる。
【００３５】
＜本発明の一実施形態であるお試しコピー処理と割り込みコピー処理の一例＞
上記の構成をもった画像形成装置において、次に、本発明の一実施形態であるお試しコピー処理と割り込みコピー処理の一例を図３及び図４のフローチャートを用いて詳細に説明する。
【００３６】
（お試しコピー処理と割り込みコピー処理：図３：基本形）
初めに、お試しコピーを行なうには、コントロールパネル４０の操作キー４３のお試しコピーアイコンを押下する。出力したい設定を選択し、スタートボタンを押下する。これに対して、主制御部３０内のメインＣＰＵ３１（お試しコピー部・割込みコピー部）の働きにより、ジョブ開始のときに、お試しコピーかどうかの判断を行い（ステップＳ１１）、設定されていれば、ジョブのキューイング処理を行なう（ステップＳ１２）。そして、お試しコピーでなければ設定されている部数の印刷を行なう（ステップＳ２４）。
【００３７】
このお試しコピー待ち状態の間に外部より印刷ジョブを受け付けた場合、主制御部３０内のメインＣＰＵ３１（お試しコピー部・割込みコピー部）の働きにより、割り込みコピーかどうか判断する（ステップＳ１６）。割込み処理がなければ、ステップＳ１７に移行する。
【００３８】
お試しコピー待ち状態のときに、割り込みボタンを押下した場合（ステップＳ１６）、主制御部３０内のメインＣＰＵ３１（お試しコピー部・割込みコピー部）の働きにより、割り込みコピー可能状態になる。スタートキーを押下すると受け付けたジョブが割り込みコピーを判断し（ステップＳ１６）、割り込みコピー処理を実行する（ステップＳ２２）。この割り込みコピー可能状態のときに、割り込みボタンを押下すると、お試しコピー待ち状態に戻る。また、割り込みコピー可能状態のままおいておくと、オートクリア機能が働き、割り込みコピー可能状態からお試しコピー待ち状態に戻る。
【００３９】
その後、主制御部３０内のメインＣＰＵ３１（お試しコピー部・割込みコピー部）の働きにより、お試しコピー処理を行なう（ステップＳ１７）。ここでは、スタートキーが押下されて、設定された部数の一部がコピー処理されることとなる。
【００４０】
この段階で、ユーザは、１部印刷後、印刷物を見て、最初の設定のままでよいか判断することができるが、この段階で再び割込み処理を行なうことが可能となる。すなわち、割込み処理があれば（ステップＳ１８）、お試しコピーの設定処理に優先して割込み処理を実行するものである（ステップＳ１９）。
【００４１】
その後、ユーザは、お試しコピー１部印刷後、印刷物を見て、最初の設定のままでよいか判断し（ステップＳ２０）、そのままでよいならば設定を変更せずにスタートボタンを押下する。押下することにより残りの部数が最初の設定のまま印刷される（ステップＳ２１）。
【００４２】
しかし、ここで最初の設定を変更したい場合は、１部印刷後、変更したい設定を選択し、設定を変更する（ステップＳ２３）。変更し終えたら、スタートキーを押下する。変更した設定で、最後まで印刷を行なう（ステップＳ２１）。
【００４３】
なお、お試しコピーボタンを押下して、出力したい設定を選択し、スタートボタンを押下するまでの間に外部より印刷ジョブを受け付けた場合、スタートボタン押下後、お試しコピーは先に受け付けた印刷ジョブ終了後、印刷が実行される仕様が好適である。
【００４４】
又、お試しコピーボタンを押下して、スタートボタンを押下した後、外部より印刷ジョブを受け付けた場合、お試しコピーで１部出力したあと、再度スタートキー押下で残りの部の印刷が完了するまで、外部より受け付けたジョブは印刷を開始しない仕様が好適である。
【００４５】
お試しコピーボタンを押下して、出力したい設定を選択し、スタートボタンを押下して、１部出力させてから、残りの部数を出力させるために再度スタートボタンを押下するまでの間をお試しコピー待ち状態という。
【００４６】
又、上述したように、お試しコピーは、主制御部３０内のメインＣＰＵ３１（お試しコピー部・割込みコピー部）の働きにより、お試しコピー待ち状態のときに設定の変更を行なう（ステップＳ２０）。ここで、設定の変更の例を以下にあげる。
【００４７】
部数の設定を変更できる、
ステイプル有無を設定できる、
ステイプル位置（コーナー一箇所止め、２箇所止め等）を変更できる、
ホールパンチ有り無しの設定を変更できる、
綴じ代の設定を変更できる、
日付／時刻付加の設定を変更できる、
ページ付加の設定を変更できる、
左右綴じ／上下綴じの設定を変更できる、
タブ紙印刷の場合、タブ幅、タブ幅シフト幅を変更できる、
倍率の設定が変更できる、
変更できる設定は、組み合わせて設定が可能である、
ステイプルやパンチはオプション構成により設定そのものができない場合がある。
【００４８】
以上のように、ユーザの要望に応じて、お試しコピーの後に仕様変更が可能である。
【００４９】
（お試しコピー処理と割り込みコピー処理：図４：変形形）
更に、図４のフローチャートに示すように、例えば、大型のコントロールパネルの液晶表示部４２等を使用する。これにより、お試し印刷（コピー）を行なわなくとも、印刷（コピー）後のイメージを液晶表示部４２に表示させることができる（ステップＳ１３）。そして、様子をある程度ユーザに予測させ、ユーザにイメージ表示が適切かどうかを判断させて（ステップＳ１３）、不適切であれば、主制御部３０内のメインＣＰＵ３１（お試しコピー部・割込みコピー部）の働きにより、必要な設定変更を行なわせる（ステップＳ１４）。この設定変更は、上述したものであってもよいし、それ以上の変更であってもよい。
【００５０】
イメージが適切であるならば、主制御部３０内のメインＣＰＵ３１（お試しコピー部・割込みコピー部）の働きにより、ステップＳ１５移行の図３に同等の処理を行なうものである。
【００５１】
このように本発明に係る実施形態においては、お試しコピー待ち状態に入ったときに、お試しコピー以外のジョブが印刷されるのを待ち続けなければならないことを回避できる。また、印刷をすべて禁止するのではなく、割り込みコピーだけを許可することにより、コピーをすぐにでも実行したいユーザに対して利便性を高めた。
【００５２】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００５３】
【図１】本発明の一実施形態に係る画像形成装置の構成の一例を示す断面図。
【図２】本発明の一実施形態に係る画像形成装置の電気的構成の一例を示すブロック図。
【図３】本発明の一実施形態に係る画像形成装置のお試しコピー及び割り込みコピーの処理の一例を示すフローチャート。
【図４】本発明の一実施形態に係る画像形成装置のお試しコピー及び割り込みコピーの処理の一例を示すフローチャート。
【符号の説明】
【００５４】
３０…主制御部、３１…メインＣＰＵ（お試しコピー・割込みコピー部）、２…プリンタ部。
【図１】
2007272128.tif 000003
【図２】
2007272128.tif 000004
【図３】
2007272128.tif 000005
【図４】
2007272128.tif 000006